【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
遠隔で収集された外部センサ（１７）計測結果の認証を提供するシステム（１０）であって、
該システム（１０）は、
生理学的計測結果（３７）を、蓄積箇所から遠隔に位置する発生源から収集（３１）する収集モジュール（１７）であって、該蓄積箇所は、該収集された生理学的計測結果（３７）を蓄積する、収集モジュール（１７）と、
特定の患者（１４）を一意に識別する認証データ（８２）と対照して、該生理学的計測結果（３７）が収集（３１）された該発生源の識別（３２）を決定する識別モジュール（１２）と、
患者識別（８０）を認証するときに、該生理学的計測結果（３７）を該特定の患者（１４）に由来するものとして該蓄積箇所へ転送（３３）するステージングモジュール（１５）と
を備える、システム（１０）。
【請求項２】
前記収集モジュール（１７）が、離散型外部センサ（１７）、患者管理デバイス（１２）と動作可能に接続された外部センサ（１７）、および前記生理学的計測結果（３７）を受動的に受信する患者管理デバイス（１２）のうちの少なくとも１つを備えることと、
前記患者識別（８０）が、それぞれ認証データ（８２）を備える植え込み型医療機器（１５）および無線ＩＤタグ（４２）のうちの少なくとも１つを使用することにより、受動的に決定（４０）されることと、
該患者識別（８０）が、それぞれ該認証データ（８２）に対する比較の証明書を提供する生物測定識別子（５１）、トークン識別子（５２）およびコードエントリ識別子（５３）のうちの少なくとも１つを使用することにより、能動的に決定（５０）されることと、
前記ステージングモジュール（１５）が、外部センサ（１７）、患者管理デバイス（１２）および植え込み型医療機器（１５）のうちの少なくとも１つを備えることと
のうちの少なくとも一つである、請求項１に記載のシステム（１０）。
【請求項３】
前記外部センサ（１７）は、体重計、血圧計カフ、血糖計、体温計および肺活量計のうちの少なくとも１つを備える、請求項２に記載のシステム（１０）。
【請求項４】
前記認証データ（８２）を実装する外部センサ（１７）と、
前記患者識別（８０）が確認されるまで該外部センサ（１７）に前記生理学的計測結果（３７）を保持する記憶部であって、該生理学的計測結果（３７）は、確認のときに患者管理デバイス（１２）に提供される、記憶部と
をさらに備える、請求項１に記載のシステム（１０）。
【請求項５】
前記認証データ（８２）を実装する患者管理デバイス（１２）と、
前記生理学的計測結果（３７）を該患者管理デバイス（１２）に提供する外部センサ（１７）と、
前記患者識別（８０）が確認されるまで該患者管理デバイス（１２）に該生理学的計測結果（３７）を保持する記憶部と
をさらに備える、請求項１に記載のシステム（１０）。
【請求項６】
前記生理学的計測結果（３７）を患者管理デバイス（１２）に提供する外部センサ（１７）と、
植え込み型医療機器（１５）の該患者管理デバイス（１２）との近接を確認する通信モジュールと、
該植え込み型医療機器（１５）の近接が確認されるまで、該生理学的計測結果（３７）を該患者管理デバイス（１２）に保持する記憶部と
をさらに備える、請求項１に記載のシステム（１０）。
【請求項７】
植え込み型医療機器（１５）と外部センサ（１７）との間の通信を確認する通信モジュールであって、前記生理学的計測結果（３７）は、確認のときに患者管理デバイス（１２）に提供される、通信モジュールと、
植え込み型医療機器（１５）と外部センサ（１７）との間の通信を確認する通信モジュールであって、該生理学的計測結果（３７）は、確認のときに該植え込み型医療機器（１５）に提供される通信モジュールと、
心理学的、薬物投与、医学療法、保険関連、デジタル画像または音、および患者が提供またはアップロードした情報のうちの少なくとも１つを含む、前記転送（３３）された生理学的計測結果（３７）を含む患者データ（３７）と
のうちの少なくとも一つをさらに含む、請求項１に記載のシステム（１０）。
【請求項８】
遠隔で収集された外部センサ（１７）計測結果の認証を提供する方法（３０）であって、
該方法は、
生理学的計測結果（３７）を、蓄積箇所から遠隔に位置する発生源から収集（３１）することであって、該蓄積箇所は、該収集された生理学的計測結果（３７）を蓄積する、ことと、
特定の患者（１４）を一意に識別する認証データ（８２）と対照して、該生理学的計測結果（３７）が収集（３１）された該発生源の識別（３２）を決定することと、
患者識別（８０）を認証するときに、該生理学的計測結果（３７）を該特定の患者（１４）に由来するものとして該蓄積箇所へ転送（３３）することと
を含む、方法（３０）。
【請求項９】
離散型外部センサ（１７）、患者管理デバイス（１２）と動作可能に接続された外部センサ（１７）、および前記生理学的計測結果（３７）を受動的に受信する患者管理デバイス（１２）のうちの少なくとも１つを使用して該生理学的計測結果（３７）を収集（３１）することと、
それぞれ認証データ（８２）を備える植え込み型医療機器（１５）および無線ＩＤタグ（４２）のうちの少なくとも１つを使用することにより、前記患者識別（８０）を受動的に決定（４０）することと、
それぞれ該認証データ（８２）に対する比較の証明書を提供する生物測定識別子（５１）、トークン識別子（５２）およびコードエントリ識別子（５３）のうちの少なくとも１つを使用することにより、該患者識別（８０）を能動的に決定（５０）することと、
外部センサ（１７）、患者管理デバイス（１２）および植え込み型医療機器（１５）のうちの少なくとも１つから、該生理学的計測結果（３７）を転送（３３）することと
のうちの少なくとも一つをさらに含む、請求項８に記載の方法（３０）。
【請求項１０】
前記外部センサ（１７）は、体重計、血圧計カフ、血糖計、体温計および肺活量計のうちの少なくとも１つを備える、請求項９に記載の方法（３０）。
【請求項１１】
外部センサ（１７）に前記認証データ（８２）を実装することと、
前記患者識別（８０）が確認されるまで該外部センサ（１７）に前記生理学的計測結果（３７）を保持することと、
該生理学的計測結果（３７）を、確認のときに患者管理デバイス（１２）に提供することと
をさらに含む、請求項８に記載の方法（３０）。
【請求項１２】
患者管理デバイス（１２）に前記認証データ（８２）を実装することと、
外部センサ（１７）から該患者管理デバイス（１２）に前記生理学的計測結果（３７）を提供することと、
前記患者識別（８０）が確認されるまで該患者管理デバイス（１２）に該生理学的計測結果（３７）を保持することと
をさらに含む、請求項８に記載の方法（３０）。
【請求項１３】
外部センサ（１７）から患者管理デバイス（１２）に前記生理学的計測結果（３７）を提供することと、
植え込み型医療機器（１５）の該患者管理デバイス（１２）との近接を確認することと、
該植え込み型医療機器（１５）の近接が確認されるまで、該生理学的計測結果（３７）を該患者管理デバイス（１２）に保持することと
をさらに含む、請求項８に記載の方法（３０）。
【請求項１４】
植え込み型医療機器（１５）と外部センサ（１７）との間の通信を確認することと、
前記生理学的計測結果（３７）を、確認のときに患者管理デバイス（１２）に提供することと、
該生理学的計測結果（３７）を、確認のときに該植え込み型医療機器（１５）に提供することと、
心理学的、薬物投与、医学療法、保険関連、デジタル画像または音、および患者が提供またはアップロードした情報のうちの少なくとも１つを含む、前記転送（３３）された生理学的計測結果（３７）を有する患者データ（３７）を含めることと
のうちの少なくとも一つをさらに含む、請求項８に記載の方法（３０）。